(57)【要約】【課題】被覆部材の弛みを抑制する。【解決手段】シフト装置１０では、レバー１６の周囲がハウジング１２とノブ１８との間においてブーツ２０によって被覆されている。ここで、レバー１６が「Ｈ」位置に配置される際に、ブーツ２０がハウジング１２とノブ１８との間において弾性伸張される。このため、ブーツ２０に弛みが発生することを抑制できる。【選択図】図２
2020097330.tif 000002
【特許請求の範囲】
【請求項１】
操作部が設けられ、前記操作部において操作されてシフト位置が変更されるシフト体と、
前記シフト体が配置される配置体と、
前記シフト体の前記操作部と前記配置体との間の部分の周囲を被覆すると共に、伸縮性を有し、前記シフト体が所定位置に配置される際に前記操作部と前記配置体との間において伸張される被覆部材と、
を備えるシフト装置。
【請求項２】
前記シフト体の操作中間位置が所定位置にされる請求項１記載のシフト装置。
【請求項３】
前記被覆部材が互いに交差する複数方向において伸縮可能にされる請求項１又は請求項２記載のシフト装置。
【請求項４】
前記シフト体が所定位置に配置される際に前記操作部及び前記配置体の少なくとも一方の外周と前記被覆部材の外周とが滑らかに連続される請求項１〜請求項３の何れか１項記載のシフト装置。
【請求項５】
前記被覆部材の乗員とは反対側に設けられ、前記被覆部材を周方向において連絡する連絡部を備える請求項１〜請求項４の何れか１項記載のシフト装置。
【発明の詳細な説明】
【技術分野】
【０００１】
本発明は、シフト体が操作されてシフト体のシフト位置が変更されるシフト装置に関する。
【背景技術】
【０００２】
下記特許文献１に記載のシフトレバーブーツ取付構造では、シフトレバーが上側フィニッシャーに挿通されており、シフトレバーのシフトノブと上側フィニッシャーとの間の部分の周囲をシフトレバーブーツが被覆している。
【０００３】
ここで、このようなシフトレバーブーツ取付構造では、シフトレバーブーツの弛みを抑制できるのが好ましい。
【先行技術文献】
【特許文献】
【０００４】
【特許文献１】特開２０１１−１０５０２５号公報
【発明の概要】
【発明が解決しようとする課題】
【０００５】
本発明は、上記事実を考慮し、被覆部材の弛みを抑制できるシフト装置を得ることが目的である。
【課題を解決するための手段】
【０００６】
本発明の第１態様のシフト装置は、操作部が設けられ、前記操作部において操作されてシフト位置が変更されるシフト体と、前記シフト体が配置される配置体と、前記シフト体の前記操作部と前記配置体との間の部分の周囲を被覆すると共に、伸縮性を有し、前記シフト体が所定位置に配置される際に前記操作部と前記配置体との間において伸張される被覆部材と、を備える。
【０００７】
本発明の第２態様のシフト装置は、本発明の第１態様のシフト装置において、前記シフト体の操作中間位置が所定位置にされる。
【０００８】
本発明の第３態様のシフト装置は、本発明の第１態様又は第２態様のシフト装置において、前記被覆部材が互いに交差する複数方向において伸縮可能にされる。
【０００９】
本発明の第４態様のシフト装置は、本発明の第１態様〜第３態様の何れか１つのシフト装置において、前記シフト体が所定位置に配置される際に前記操作部及び前記配置体の少なくとも一方の外周と前記被覆部材の外周とが滑らかに連続される。
【００１０】
本発明の第５態様のシフト装置は、本発明の第１態様〜第４態様の何れか１つのシフト装置において、前記被覆部材の乗員とは反対側に設けられ、前記被覆部材を周方向において連絡する連絡部を備える。
【発明の効果】
【００１１】
本発明の第１態様のシフト装置では、シフト体が操作部において操作されて、シフト体のシフト位置が変更される。また、シフト体が配置体に配置されており、シフト体の操作部と配置体との間の部分の周囲を被覆部材が被覆する。
【００１２】
ここで、被覆部材が伸縮性を有しており、シフト体が所定位置に配置される際に、被覆部材が操作部と配置体との間において伸張される。このため、被覆部材の弛みを抑制できる。
【００１３】
本発明の第２態様のシフト装置では、シフト体の操作中間位置が所定位置にされる。このため、シフト体の所定位置からの操作量を小さくでき、被覆部材の弛みを効果的に抑制できる。
【００１４】
本発明の第３態様のシフト装置では、被覆部材が互いに交差する複数方向において伸縮可能にされる。このため、被覆部材の弛みを効果的に抑制できる。
【００１５】
本発明の第４態様のシフト装置では、シフト体が所定位置に配置される際に、操作部及び配置体の少なくとも一方の外周と被覆部材の外周とが滑らかに連続される。このため、見栄えを良好にできる。
【００１６】
本発明の第５態様のシフト装置では、連絡部が被覆部材を周方向において連絡しており、連絡部が被覆部材の乗員とは反対側に設けられる。このため、連絡部が乗員により視認されることを抑制できる。
【図面の簡単な説明】
【００１７】
【図１】本発明の実施形態に係るシフト装置を示す右斜め後方から見た斜視図である。
【図２】本発明の実施形態に係るシフト装置を示す右方から見た断面図である。
【図３】（Ａ）は、本発明の実施形態の第１変形例に係るシフト装置を示す右方から見た側面図であり、（Ｂ）は、本発明の実施形態の第２変形例に係るシフト装置を示す右方から見た側面図であり、（Ｃ）は、本発明の実施形態の第３変形例に係るシフト装置を示す右方から見た側面図である。
【発明を実施するための形態】
【００１８】
図１には、本発明の実施形態に係るシフト装置１０が右斜め後方から見た斜視図にて示されており、図２には、シフト装置１０が右方から見た断面図にて示されている。なお、図面では、シフト装置１０の前方を矢印ＦＲで示し、シフト装置１０の左方を矢印ＬＨで示し、シフト装置１０の上方を矢印ＵＰで示す。
【００１９】
本実施形態に係るシフト装置１０は、車両（自動車）のコンソール（車体側）に設置されて、車両の運転席（図示省略）の車幅方向内側に配置されており、シフト装置１０は、車両の乗員（特に運転席に着座する運転者）の目の車両前側に配置されている。また、シフト装置１０の前方、左方及び上方は、それぞれ車両の前方、左方及び上方に向けられている。
【００２０】
図１及び図２に示す如く、シフト装置１０には、配置体としての略直方体形箱状のハウジング１２が設けられており（図１及び図２ではハウジング１２の上壁のみが示されている）、ハウジング１２は、コンソール内に固定されている。ハウジング１２の上壁は、コンソールの上壁に配置されており、ハウジング１２の上面は、車室の意匠面を構成している。
【００２１】
ハウジング１２の上壁には、略矩形状の挿通孔１４が貫通形成されており、挿通孔１４の上端部は、前側及び後側に拡大されると共に、左前、右前、左後及び右後の角部が挿通孔１４の周方向において凹状に湾曲されている。ハウジング１２の上面には、挿通孔１４の全周において、傾斜面１２Ａが形成されており、傾斜面１２Ａは、挿通孔１４側へ向かうに従い上側へ向かう方向に傾斜されている。傾斜面１２Ａは、上下方向において凹状に湾曲されており、傾斜面１２Ａの左前、右前、左後及び右後の部分は、傾斜面１２Ａの周方向において凸状に湾曲されている。
【００２２】
ハウジング１２内には、シフト体としての略柱状のレバー１６の下端部が支持されており、レバー１６は、下端部を中心として前後方向（シフト方向）及び左右方向（セレクト方向）に回動（移動）可能にされている。レバー１６は、ハウジング１２の挿通孔１４に前後方向及び左右方向に回動可能に挿通（配置）されており、レバー１６は、ハウジング１２の上側に延出されて、上端部が車室に配置されている。
【００２３】
レバー１６の上端部近傍には、第１固定部としての断面略Ｔ字状の下固定台１６Ａが設けられており、下固定台１６Ａの上端部下面は、全周において、上側へ向かうに従い径方向外側へ向かう方向に傾斜されている。下固定台１６Ａの上面は、略矩形状にされており、下固定台１６Ａの上面の左前、右前、左後及び右後の角部は、下固定台１６Ａの周方向において凸状に湾曲されている。
【００２４】
レバー１６の上端部には、操作部としての略直方体状のノブ１８が設けられており、ノブ１８の下端部内には、第２固定部としての略矩形板状の上固定台１８Ａが固定されている。上固定台１８Ａは、下面が下固定台１６Ａの上面と上下方向において対向された状態で、下固定台１６Ａの上端部に上下方向において固定されており、これにより、ノブ１８がレバー１６の上端部に設置されている。ノブ１８の前面及び後面は、下側へ向かうに従い後側へ向かう方向に傾斜されると共に、上下方向において凹状に湾曲されており、ノブ１８の左面及び右面は、左右方向に垂直な略平面状にされている。また、ノブ１８の左前、右前、左後及び右後の角部は、ノブ１８の周方向において凸状に湾曲されている。
【００２５】
ノブ１８は、乗員が把持可能にされており、レバー１６は、乗員がノブ１８を把持した状態で回動操作可能にされている。レバー１６は、シフト位置としての「Ｈ」位置（ホーム位置、所定位置）に配置されており、レバー１６は、「Ｈ」位置から後側に回動されてシフト位置としての「Ｂ」位置（ブレーキ位置）に配置されると共に、「Ｈ」位置から右側（左側でもよい）に回動されてシフト位置としての「Ｎ」位置（ニュートラル位置）に配置される。さらに、レバー１６は、「Ｎ」位置から前側に回動されてシフト位置としての「Ｒ」位置（リバース位置）に配置されると共に、「Ｎ」位置から後側に回動されてシフト位置としての「Ｄ」位置（ドライブ位置）に配置される。また、レバー１６の「Ｈ」位置と「Ｂ」位置との間における前後方向への回動量、レバー１６の「Ｎ」位置と「Ｒ」位置との間における前後方向への回動量、及び、レバー１６の「Ｎ」位置と「Ｄ」位置との間における前後方向への回動量は、同一にされている。さらに、レバー１６の「Ｈ」位置、「Ｂ」位置、「Ｎ」位置、「Ｒ」位置及び「Ｄ」位置への回動範囲以外への回動は、規制されている。
【００２６】
ハウジング１２内には、付勢機構としての節度機構（図示省略）が設けられており、節度機構は、レバー１６を、「Ｈ」位置以外の全ての位置から「Ｈ」位置側へ向けて付勢して、「Ｈ」位置に保持している。レバー１６は、節度機構の付勢力に抗して「Ｈ」位置から回動操作可能にされており、レバー１６が「Ｈ」位置以外の位置に配置された状態で、レバー１６への回動操作力が解除された際には、レバー１６が節度機構の付勢力によって「Ｈ」位置に回動（復帰）される。
【００２７】
レバー１６の周囲は、ハウジング１２（挿通孔１４）とノブ１８との間の全体において、被覆部材としての略矩形筒状のブーツ２０によって被覆されており、ブーツ２０は、編物生地（例えばトリコット生地）製にされると共に、全周において下側へ向かいに従い径方向外側へ向かう方向に拡大されている。ブーツ２０は、長尺生地の両端部が幅方向全体において縫合（結合）されて、周方向に連絡されており、ブーツ２０の当該縫合部（結合部、図示省略）は、ブーツ２０の径方向内側に突出されている。ブーツ２０の外周面は、縫合部の位置における連絡部としての合わせ部２０Ａにおいて周方向に連絡されており、合わせ部２０Ａは、ブーツ２０の外周面の周方向における１箇所に設けられると共に、ブーツ２０の前部の左右方向中間（例えば左右方向中央）に配置されている。
【００２８】
ブーツ２０の上端部は、径方向内側に曲げられており、ブーツ２０の上端部は、上記の下固定台１６Ａの上面と上固定台１８Ａの下面との間に狭持されて固定されている。
【００２９】
ブーツ２０の下端部内には、第３固定部としての略矩形筒状の固定枠２２が挿入されており、固定枠２２の外周面の左前、右前、左後及び右後の角部は、固定枠２２の周方向において凸状に湾曲されている。固定枠２２は、ハウジング１２の挿通孔１４上端部に略嵌入されて固定されると共に、内部にレバー１６が前後方向及び左右方向に回動可能に挿通されており、固定枠２２の外周面と挿通孔１４の上端部周面との間には、全周においてブーツ２０の下端部が挟持されている。固定枠２２の外周面には、全周において、固定部としての断面半円状の固定凹部２２Ａが形成されており、固定凹部２２Ａは、固定枠２２の径方向外側に開放されている。固定凹部２２Ａには、ブーツ２０の下端部が挿入されており、ブーツ２０の固定凹部２２Ａとは反対側には、固定部材としての断面円形環状のベルト２４が設けられている。ベルト２４は、ブーツ２０の下端部を固定凹部２２Ａ側に締付けており、ブーツ２０の下端部は、固定凹部２２Ａの周面とベルト２４との間に挟持されて、固定枠２２に固定されている。
【００３０】
ブーツ２０は、光の透過を制限して径方向内側（特にハウジング１２内）の視認を制限しており、ブーツ２０は、固体（例えば埃）の通過を制限して径方向内側（特にハウジング１２内）への固体の侵入を制限する。ブーツ２０を構成する繊維は、液体をはじく性能（例えば撥水性）を有しており、ブーツ２０は、液体の通過を制限して、径方向内側（特にハウジング１２内）への液体の浸入を制限する。
【００３１】
ブーツ２０は、面方向の全方向において伸縮性を有しており（弾性伸縮可能にされており）、ブーツ２０は、例えば母線方向及び周方向のそれぞれに２倍の寸法に弾性伸張可能にされる伸縮性能を有している。ブーツ２０は、ハウジング１２（挿通孔１４）とノブ１８との間における母線方向全体及び周方向全体（上記縫合部を除く）において、母線方向及び周方向に弾性伸張されており、レバー１６が「Ｈ」位置から「Ｈ」位置以外の位置に回動される際には、ブーツ２０のレバー１６回動側とは反対側の部分が弾性伸張されると共に、ブーツ２０のレバー１６回動側の部分が弾性収縮される（弾性伸張を維持されても解除されてもよく、弛み（シワ）を発生してもよい）。ブーツ２０の前部、後部、左部及び右部は、下側へ向かうに従い径方向外側へ向かう方向に傾斜されると共に、上下方向において凹状に湾曲されており、ブーツ２０の左前、右前、左後及び右後の角部は、ブーツ２０の周方向において凸状に湾曲されている。これにより、ブーツ２０の外周面が、全周において、ハウジング１２の傾斜面１２Ａ及びノブ１８の周面と面一にされて滑らかに連続されている。
【００３２】
次に、本実施形態の作用を説明する。
【００３３】
以上の構成のシフト装置１０では、レバー１６が節度機構の付勢力によって「Ｈ」位置に保持されており、レバー１６は、節度機構の付勢力に抗して「Ｈ」位置から回動操作される。また、レバー１６の周囲がハウジング１２とノブ１８との間の全体においてブーツ２０によって被覆されている。
【００３４】
ここで、レバー１６が「Ｈ」位置に配置される際に、ブーツ２０がハウジング１２とノブ１８との間において弾性伸張される。このため、レバー１６が「Ｈ」位置に配置される際のみならず、レバー１６が「Ｈ」位置から回動された際にも、ブーツ２０に弛みが発生することを抑制できる。これにより、ブーツ２０の弛みに乗員の手指が引掛かって乗員のノブ１８に対する把持が阻害されることを抑制できると共に、ブーツ２０の弛みに固体や液体が入る（例えば溜まる）ことを抑制できる。しかも、ブーツ２０の見栄えを良好にできると共に、ハウジング１２の固定枠２２内にブーツ２０の弛みが侵入するスペースを設ける必要性を低くできてシフト装置１０を小型化できる。
【００３５】
さらに、レバー１６が「Ｈ」位置に配置される際に、ブーツ２０がハウジング１２とノブ１８との間において母線方向及び周方向に弾性伸張される。このため、レバー１６が「Ｈ」位置に配置される際のみならず、レバー１６が「Ｈ」位置から回動された際にも、ブーツ２０に弛みが発生することを効果的に抑制できる。
【００３６】
しかも、レバー１６が「Ｈ」位置に配置される際に、ブーツ２０がハウジング１２とノブ１８との間における母線方向全体及び周方向全体において弾性伸張される。このため、レバー１６が「Ｈ」位置に配置される際にブーツ２０に弛みが発生することを防止できるのみならず、レバー１６が「Ｈ」位置から回動された際にブーツ２０に弛みが発生することを効果的に抑制できる。
【００３７】
また、レバー１６に回動操作力が作用されない際に、レバー１６が「Ｈ」位置に保持されて、ブーツ２０がハウジング１２とノブ１８との間において弾性伸張される。このため、ブーツ２０に弛みが発生することを抑制できる機会を多くできる。
【００３８】
さらに、レバー１６が操作中間位置（本実施形態では前後方向への操作中央位置である「Ｈ」位置）に配置される際に、ブーツ２０がハウジング１２とノブ１８との間において弾性伸張される。このため、レバー１６の操作中間位置から操作規制位置（本実施形態では「Ｂ」位置、「Ｒ」位置及び「Ｄ」位置）への操作量（回動量）を小さくでき、レバー１６が操作規制位置に配置される際でも、ブーツ２０に弛みが発生することを抑制できる。
【００３９】
また、ブーツ２０の弾性収縮力によりレバー１６が特定位置（例えば「Ｈ」位置）に回動される構成にできる。このため、ブーツ２０の弾性収縮力がレバー１６の特定位置への回動を補助できる。
【００４０】
さらに、レバー１６が「Ｈ」位置に配置される際に、ブーツ２０の外周面が全周においてハウジング１２の傾斜面１２Ａ及びノブ１８の周面と滑らかに連続されている。このため、シフト装置１０の見栄えを良好にできる。
【００４１】
また、ブーツ２０外周面の合わせ部２０Ａがブーツ２０の前部（乗員の目とは反対側）に配置されている。このため、合わせ部２０Ａが乗員により視認されることを抑制でき、ブーツ２０の見栄えを良好にできる。
【００４２】
さらに、ブーツ２０が液体の通過を制限する。このため、ブーツ２０の径方向内側（特にハウジング１２内）への液体の浸入を制限できる。
【００４３】
（第１変形例）
図３（Ａ）には、本発明の実施形態の第１変形例に係るシフト装置３０が右方から見た側面図にて示されている。
【００４４】
図３（Ａ）に示す如く、本変形例に係るシフト装置３０では、ハウジング１２の傾斜面１２Ａの後部が平面状にされると共に、レバー１６のノブ１８の後面が平面状にされており、ブーツ２０は、後部が平板状にされると共に、前部の上側部分が上側へ向かうに従い前側へ向かう方向に傾斜されている。これにより、ブーツ２０の外周面が、全周において、ハウジング１２の傾斜面１２Ａ及びノブ１８の周面と面一にされて滑らかに連続されている。
【００４５】
ここで、本変形例でも、上記実施形態と同様の作用及び効果を奏することができる。
【００４６】
（第２変形例）
図３（Ｂ）には、本発明の実施形態の第２変形例に係るシフト装置４０が右方から見た側面図にて示されている。
【００４７】
図３（Ｂ）に示す如く、本変形例に係るシフト装置４０では、レバー１６のノブ１８の前面が下側へ向かうに従い前側へ向かう方向に傾斜されており、これにより、ブーツ２０の外周面が、全周において、ハウジング１２の傾斜面１２Ａ及びノブ１８の周面と面一にされて滑らかに連続されている。
【００４８】
ここで、本変形例でも、上記実施形態と同様の作用及び効果を奏することができる。
【００４９】
（第３変形例）
図３（Ｃ）には、本発明の実施形態の第３変形例に係るシフト装置５０が右方から見た側面図にて示されている。
【００５０】
図３（Ｃ）に示す如く、本変形例に係るシフト装置５０では、レバー１６のノブ１８の後面が下側へ向かうに従い前側へ向かう方向に傾斜されており、ブーツ２０の前部及び後部の上側部分は、それぞれ上側へ向かうに従い前側及び後側へ向かう方向に傾斜されている。これにより、ブーツ２０の外周面が、全周において、ハウジング１２の傾斜面１２Ａ及びノブ１８の周面と面一にされて滑らかに連続されている。
【００５１】
ここで、本変形例でも、上記実施形態と同様の作用及び効果を奏することができる。
【００５２】
なお、本実施形態（第１変形例〜第３変形例を含む）では、レバー１６が「Ｈ」位置に配置される際に、ブーツ２０がハウジング１２とノブ１８との間において複数方向（母線方向及び周方向）に弾性伸張される。しかしながら、レバー１６が「Ｈ」位置に配置される際に、ブーツ２０がハウジング１２とノブ１８との間において単一方向（例えば母線方向又は周方向）に弾性伸張されてもよい。
【００５３】
また、本実施形態（第１変形例〜第３変形例を含む）では、レバー１６が「Ｈ」位置に配置される際に、ブーツ２０がハウジング１２とノブ１８との間における母線方向全体及び周方向全体において弾性伸張される。しかしながら、レバー１６が「Ｈ」位置に配置される際に、ブーツ２０がハウジング１２とノブ１８との間における母線方向の一部において弾性伸張されてもよく、ブーツ２０がハウジング１２とノブ１８との間における周方向の一部において弾性伸張されてもよい。
【００５４】
さらに、本実施形態（第１変形例〜第３変形例を含む）では、レバー１６の所定位置が「Ｈ」位置にされる。しかしながら、レバー１６の所定位置が「Ｈ」位置以外の位置（例えば「Ｂ」位置、「Ｎ」位置、「Ｒ」位置又は「Ｄ」位置）にされてもよい。
【００５５】
また、本実施形態（第１変形例〜第３変形例を含む）では、ブーツ２０の上端部がレバー１６の下固定台１６Ａ上面と上固定台１８Ａ下面との間に狭持されて固定される。しかしながら、ブーツ２０の上端部が、レバー１６の下固定台１６Ａ上面と上固定台１８Ａ下面との間に狭持されると共に、ブーツ２０の上端縁部において下固定台１６Ａ上面又は上固定台１８Ａ下面における環状の挿入孔に挿入されて、ブーツ２０の上端部が下固定台１６Ａと上固定台１８Ａとの間に固定されてもよい。さらに、レバー１６の下固定台１６Ａ上面及び上固定台１８Ａ下面の一方の凸部が下固定台１６Ａ上面及び上固定台１８Ａ下面の他方の凹部に挿入されると共に、ブーツ２０の上端部が下固定台１６Ａ上面と上固定台１８Ａ下面との間、凸部の周面と凹部の周面との間及び凸部の頂面と凹部の底面との間に狭持されて、ブーツ２０の上端部が下固定台１６Ａと上固定台１８Ａとの間に固定されてもよい。また、ブーツ２０の上端部にレバー１６の下固定台１６Ａ上面又は上固定台１８Ａ下面における複数の挿入部が貫通されて、ブーツ２０の上端部が下固定台１６Ａと上固定台１８Ａとの間に固定されてもよい。さらに、ブーツ２０の下端部と同様に、ブーツ２０の上端部がレバー１６の上固定台１８Ａの固定凹部２２Ａ周面とベルト２４との間に挟持されて上固定台１８Ａに固定されてもよい。また、ブーツ２０の上端部がレバー１６の下固定台１６Ａ及び上固定台１８Ａの少なくとも一方にタッカー（ステープル）又は接着等により固定されてもよい。
【００５６】
さらに、本実施形態（第１変形例〜第３変形例を含む）では、ブーツ２０の下端部が固定枠２２の固定凹部２２Ａ周面とベルト２４との間に挟持されて固定枠２２に固定される。しかしながら、ブーツ２０の下端部がハウジング１２の挿通孔１４周面及び固定枠２２の少なくとも一方にタッカー（ステープル）又は接着等により固定されてもよい。
【００５７】
また、本実施形態（第１変形例〜第３変形例を含む）では、ブーツ２０が編物生地製にされる。しかしながら、ブーツ２０が他の伸縮素材製（例えばゴム製）にされてもよい。
【００５８】
さらに、本実施形態（第１変形例〜第３変形例を含む）では、レバー１６が互いに交差する複数方向（前後方向及び左右方向）に操作可能にされる。しかしながら、レバー１６が単一方向（例えば前後方向）に操作可能にされてもよい。
【００５９】
また、本実施形態（第１変形例〜第３変形例を含む）では、レバー１６が回動可能にされる。しかしながら、レバー１６がスライド可能にされてもよい。
【００６０】
さらに、本実施形態（第１変形例〜第３変形例を含む）では、シフト装置１０、３０、４０、５０がコンソールに設置される。しかしながら、シフト装置１０、３０、４０、５０がインストルメントパネル又はコラムカバーに設置されてもよい。
【符号の説明】
【００６１】
１０・・・シフト装置、１２・・・ハウジング（配置体）、１６・・・レバー（シフト体）、１８・・・ノブ（操作部）、２０・・・ブーツ（被覆部材）、２０Ａ・・・合わせ部（連絡部）、３０・・・シフト装置、４０・・・シフト装置、５０・・・シフト装置
【図１】
2020097330.tif 000003
【図２】
2020097330.tif 000004
【図３】
2020097330.tif 000005